(57)【特許請求の範囲】
【請求項１】
昇降路内を昇降されるかご、
前記昇降路内に設置されており、識別情報を保持している少なくとも１つの識別子、
前記かごに設けられており、前記かごが前記識別子の位置を通る際に前記識別子から前記識別情報を読み取る読取部、
前記読取部で読み取られた前記識別情報に基づいて前記かごの位置を検出するとともに、前記かごの走行を制御する制御装置、及び
前記読取部で読み取られた前記識別情報の異常の有無を検査する識別情報検査を行う識別情報検査部
を備え、
前記識別子には、前記識別情報に関連付けられた比較情報が保存されており、
前記識別情報検査部は、前記読取部で読み取られた前記識別情報と前記比較情報とを比較することにより、前記識別情報の異常の有無を判定するエレベータ装置。
【請求項２】
前記制御装置は、前記識別子に対する前回の識別情報検査からの経過時間に基づいて、前記識別子の位置に前記かごを移動させる検査走行の要否を判定し、判定結果に基づいて検査走行を実施する請求項１記載のエレベータ装置。
【請求項３】
前記識別情報検査部により前記識別情報の異常が検出された場合、前記制御装置は、前記かごの走行を制限する請求項１又は請求項２に記載のエレベータ装置。
【請求項４】
前記識別情報検査部により前記識別情報の異常が検出された場合、前記制御装置は、前記かごの走行速度を制限する請求項３記載のエレベータ装置。
【請求項５】
前記識別情報検査部により前記識別情報の異常が検出された場合、前記制御装置は、異常が検出された前記識別子の位置への前記かごの移動を禁止する請求項３記載のエレベータ装置。
【請求項６】
前記識別情報検査部により前記識別情報の異常が検出された場合、前記制御装置は、前記かごの運行を停止する請求項３記載のエレベータ装置。
【請求項７】
前記比較情報は、対応する前記識別情報を反転した情報である請求項１記載のエレベータ装置。
【請求項８】
前記識別情報検査部には、識別情報検査用の変換式が記憶されており、
前記識別子に保存された前記識別情報と前記比較情報とは、前記変換式により関連付けられている請求項１記載のエレベータ装置。
【請求項９】
前記読取部は、前記識別子から前記識別情報及び前記比較情報を無線通信にて読み取り、その際に前記識別情報と前記比較情報とで異なる周波数の無線を使用する請求項１又は請求項２に記載のエレベータ装置。
【請求項１０】
前記制御装置には、前記識別子の前記識別情報に対応する前記かごの位置情報である基準位置情報が予め記憶されており、
前記制御装置は、前記基準位置情報に基づいて、前記識別子が適正な位置にあるかどうかを判定する請求項１又は請求項２に記載のエレベータ装置。
【請求項１１】
前記制御装置は、前記昇降路の終端部から反対側の終端部まで前記かごを走行させながら識別情報検査を行う検査走行を実施する請求項１記載のエレベータ装置。
【請求項１２】
前記制御装置は、前回の検査走行からの経過時間に基づいて検査走行の要否を判定し、判定結果に基づいて検査走行を実施する請求項１１記載のエレベータ装置。
【請求項１３】
昇降路内を昇降されるかご、
前記昇降路内に設置されており、識別情報を保持している少なくとも１つの識別子、及び
前記かごに設けられており、前記かごが前記識別子の位置を通る際に前記識別子から前記識別情報を読み取る読取部
を備えているエレベータ装置の制御方法であって、
前記識別子に、前記識別情報とともに、前記識別情報に関連付けられた比較情報を保存しておき、
前記かごが前記識別子の位置を通る際に、前記識別子から前記識別情報と前記比較情報とを前記読取部で読み取り、読み取られた前記識別情報と前記比較情報とを比較することにより、前記識別情報の異常の有無を検査するエレベータ装置の制御方法。
【請求項１４】
昇降路内を昇降されるかご、
前記昇降路内に設置されており、識別情報を保持するとともに前記識別情報に関連付けられた比較情報が保存された少なくとも１つの識別子、
前記かごに設けられており、前記かごが前記識別子の位置を通る際に前記識別子から前記識別情報を読み取る読取部、及び
前記識別情報と前記比較情報とを比較することにより、前記読取部で読み取られた前記識別情報の異常の有無を検査する識別情報検査を行う識別情報検査部
を備えているエレベータ装置の制御方法であって、
前記識別子に対する前回の識別情報検査からの経過時間に基づいて、前記識別子の位置に前記かごを移動させる検査走行の要否を判定し、判定結果に基づいて検査走行を実施するエレベータ装置の制御方法。
【発明の詳細な説明】
【技術分野】
【０００１】  この発明は、例えばＩＤタグなどの識別子が昇降路に設置されているエレベータ装置及びその制御方法に関するものである。
【背景技術】
【０００２】  従来のエレベータ装置では、昇降路内の各階床に対応する位置に、ＲＦＩＤ（Radio Frequency Identification）が設けられている。かご上には、ＲＦＩＤの情報を読み取るかご位置検出装置が搭載されている。運転制御装置は、ロータリエンコーダが出力するパルスの蓄積により、かごの位置を認識する。運転制御装置によるパルスカウント値と実際のかごの位置とがずれた場合、かごが階床に停止され、ＲＦＩＤから読み出した情報に基づいて、パルスカウント値が補正される（例えば、特許文献１参照）。
【先行技術文献】
【特許文献】
【０００３】
【特許文献１】特開２０１１−１０２１６３号公報
【発明の概要】
【発明が解決しようとする課題】
【０００４】  上記のような従来のエレベータ装置では、ＲＦＩＤに含まれる情報に不具合が生じた場合に、その情報を検出することができず、かご位置を誤認識したり、誤ったパルスカウント値に補正したりする恐れがある。【０００５】  この発明は、上記のような課題を解決するためになされたものであり、かご位置検出の信頼性を向上させることができるエレベータ装置及びその制御方法を得ることを目的とする。
【課題を解決するための手段】
【０００６】
この発明に係るエレベータ装置は、昇降路内を昇降されるかご、昇降路内に設置されており、識別情報を保持している少なくとも１つの識別子、かごに設けられており、かごが識別子の位置を通る際に識別子から識別情報を読み取る読取部、読取部で読み取られた識別情報に基づいてかごの位置を検出するとともに、かごの走行を制御する制御装置、及び読取部で読み取られた識別情報の異常の有無を検査する識別情報検査を行う識別情報検査部を備え、識別子には、識別情報に関連付けられた比較情報が保存されており、識別情報検査部は、読取部で読み取られた識別情報と比較情報とを比較することにより、識別情報の異常の有無を判定する。
また、この発明に係るエレベータ装置の制御方法は、昇降路内を昇降されるかご、昇降路内に設置されており、識別情報を保持している少なくとも１つの識別子、及びかごに設けられており、かごが識別子の位置を通る際に識別子から識別情報を読み取る読取部を備えているエレベータ装置の制御方法であって、識別子に、識別情報とともに、識別情報に関連付けられた比較情報を保存しておき、かごが識別子の位置を通る際に、識別子から識別情報と比較情報とを読取部で読み取り、読み取られた識別情報と比較情報とを比較することにより、識別情報の異常の有無を検査する。
また、この発明のエレベータ装置の制御方法は、昇降路内を昇降されるかご、昇降路内に設置されており、識別情報を保持するとともに識別情報に関連付けられた比較情報が保存された少なくとも１つの識別子、かごに設けられており、かごが識別子の位置を通る際に識別子から識別情報を読み取る読取部、及び識別情報と比較情報とを比較することにより、読取部で読み取られた識別情報の異常の有無を検査する識別情報検査を行う識別情報検査部を備えているエレベータ装置の制御方法であって、識別子に対する前回の識別情報検査からの経過時間に基づいて、識別子の位置にかごを移動させる検査走行の要否を判定し、判定結果に基づいて検査走行を実施する。
【発明の効果】
【０００７】
この発明のエレベータ装置の制御方法は、読取部で読み取られた識別情報の異常の有無を検査し、かつ、識別子に対する前回の識別情報検査からの経過時間に基づいて、識別子の位置にかごを移動させる検査走行の要否を判定し、判定結果に基づいて検査走行を実施するので、識別情報の異常の有無を十分な頻度で確認することができ、かご位置検出の信頼性を向上させることができる。
また、この発明のエレベータ装置及びその制御方法は、識別情報と、識別情報に関連付けられた比較情報とが識別子に保存されており、読取部で読み取られた識別情報と比較情報とを比較することにより識別情報の異常の有無を判定するので、識別情報の異常をより確実に検出することができ、かご位置検出の信頼性を向上させることができる。
【図面の簡単な説明】
【０００８】
【図１】この発明の実施の形態１によるエレベータ装置を示す構成図である。
【図２】図１のエレベータ装置の要部を一部ブロックで示す構成図である。
【図３】図２の識別子及び識別情報読取装置を示すブロック図である。
【図４】図２のエレベータ装置の運行開始時における制御装置の動作を示すフローチャートである。
【図５】図２の制御装置に記憶される識別情報のテーブルの一例を示す説明図である。
【図６】図２のエレベータ装置の運行中の制御装置の動作を示すフローチャートである。
【図７】この発明の実施の形態３によるエレベータ装置の要部を示すブロック図である。
【図８】図７の識別情報読取装置が識別子に対して移動した状態を示すブロック図である。
【図９】この発明の実施の形態５によるエレベータ装置の運行中の制御装置の動作を示すフローチャートである。
【図１０】この発明の実施の形態６によるエレベータ装置の運行中の制御装置の動作を示すフローチャートである。
【発明を実施するための形態】
【０００９】  以下、この発明を実施するための形態について、図面を参照して説明する。  実施の形態１．  図１はこの発明の実施の形態１によるエレベータ装置を示す構成図である。図において、昇降路１の上部には、機械室２が設けられている。機械室２には、巻上機（駆動装置）３、そらせ車４、及び制御装置５が設置されている。巻上機３は、駆動シーブ６と、駆動シーブ６を回転させる巻上機モータと、駆動シーブ６の回転を制動する巻上機ブレーキとを有している。
【００１０】  駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１１】  かご８及び釣合おもり９は、懸架体７により昇降路１内に吊り下げられており、巻上機３により昇降路１内を昇降される。制御装置５は、巻上機３の回転を制御することにより、設定した速度でかご８を昇降させる。
【００１２】  昇降路１内には、かご８の昇降を案内する一対のかごガイドレール１０と、釣合おもり９の昇降を案内する一対の釣合おもりガイドレール１１とが設置されている。昇降路１の底部には、かご緩衝器１２及び釣合おもり緩衝器１３が設置されている。
【００１３】  かご８の下部には、かごガイドレール１０に係合してかご８を非常停止させる非常止め装置１４が搭載されている。非常止め装置１４には、非常止め装置１４を作動させる作動レバー１５が設けられている。
【００１４】  機械室２には、かご８の過速度走行を検出する調速機１６が設けられている。調速機１６は、調速機シーブ１７、過速度検出スイッチ及びロープキャッチ等を有している。調速機シーブ１７には、調速機ロープ１８が巻き掛けられている。
【００１５】  調速機ロープ１８は、昇降路１内に環状に敷設され、作動レバー１５に接続されている。また、調速機ロープ１８は、昇降路１の下部に配置された張り車１９に巻き掛けられている。かご８が昇降されると、調速機ロープ１８が循環移動され、かご８の走行速度に応じた回転速度で調速機シーブ１７が回転される。
【００１６】  調速機１６では、かご８の走行速度が過速度に達したことが機械的に検出される。検出する過速度としては、定格速度Ｖｒよりも高い第１過速度Ｖｏｓと、第１過速度よりも高い第２過速度Ｖｔｒとが設定されている。
【００１７】  かご８の走行速度が第１過速度Ｖｏｓに達すると、過速度検出スイッチが操作される。過速度検出スイッチが操作されると、巻上機３への給電が遮断され、かご８が緊急停止される。
【００１８】  かご８の下降速度が第２過速度Ｖｔｒに達すると、ロープキャッチにより調速機ロープ１８が把持され、調速機ロープ１８の循環が停止される。調速機ロープ１８の循環が停止されると、作動レバー１５が操作され、非常止め装置１４によりかご８が非常停止される。
【００１９】  図２は図１のエレベータ装置の要部を一部ブロックで示す構成図である。昇降路１内には、少なくとも１つ、ここでは複数の識別子２１が、上下方向に互いに間隔をおいて設置されている。識別子２１としては、例えばＩＣ（Integrated Circuit）タグが用いられている。各識別子２１は、固有の識別情報（ID: Identification）を保持している。
【００２０】  かご８上には、かご８が識別子２１の位置を通る際に識別子２１から識別情報を読み取る識別情報読取装置２２が搭載されている。識別情報読取装置２２としては、例えばＩＣリーダが用いられている。識別情報読取装置２２は、識別子２１と同じ高さに位置するとき、識別子２１に間隔をおいて対向し、識別情報を無線伝送で読み取る。
【００２１】  昇降路１内の上下の終端部には、リミットスイッチ２３がそれぞれ設置されている。かご８には、リミットスイッチ２３を操作するカム（図示せず）が設けられている。リミットスイッチ２３からの信号は、制御装置５に入力される。
【００２２】  調速機１６には、かご８の走行に応じてパルス信号を発生する調速機エンコーダ２４が設けられている。調速機エンコーダ２４からのパルス信号は、制御装置５に入力される。
【００２３】  制御装置５は、かご８の走行を制御する走行制御部２５と、かご８の位置を検出する位置情報変換部（かご位置検出部）２６と、かご８の位置及び速度の監視等の安全制御を行う安全制御部２７とを有している。
【００２４】  識別情報読取装置２２で読み取られた識別情報は、通信手段（図示せず）を介して位置情報変換部２６に送信される。位置情報変換部２６は、受信した識別情報に基づいて、かご８の位置を検出する。即ち、位置情報変換部２６は、予め記憶された識別情報と基準位置情報（昇降路終端からの距離）との関係に基づいて、識別情報をかご位置情報に変換する。
【００２５】  走行制御部２５及び安全制御部２７は、調速機エンコーダ２４（又は巻上機エンコーダ）からの信号に基づいて、相対的なかご８の現在位置を取得する。また、走行制御部２５及び安全制御部２７は、位置情報変換部２６からの情報（検知状況と位置情報）から、絶対的なかご８の現在位置を取得する。
【００２６】  また、走行制御部２５及び安全制御部２７は、例えば停電復旧後など、かご８の位置を把握できなくなったとき、識別子２１を検知することでかご８の位置を検出する。これにより、早期の復旧が可能となる。
【００２７】  図３は図２の識別子２１及び識別情報読取装置２２を示すブロック図である。識別子２１は、識別情報を保持する識別情報保持部２１ａと、識別情報に関連付けられた別の識別情報である比較情報を保持する比較情報保持部２１ｂとを有している。識別情報保持部２１ａ及び比較情報保持部２１ｂは、かご８の走行方向と直交する方向（水平方向）に並べて配置されている。即ち、識別子２１は、水平方向に二重化されている。
【００２８】  識別情報は、ビット列で表される情報である。また、比較情報は、識別情報のビット列の値を反転させたビット列で表される情報である。例えば、識別情報が「１０１０１０１１」である場合、比較情報は「０１０１０１００」となる。
【００２９】  識別情報読取装置２２は、第１及び第２の読取部２８ａ，２８ｂと、第１及び第２のＣＰＵ（処理部）２９ａ，２９ｂと、第１及び第２のインターフェース３０ａ，３０ｂとを有している。
【００３０】  第１の読取部２８ａは、識別情報保持部２１ａの識別情報を非接触で読み取る。第２の読取部２８ｂは、比較情報保持部２１ｂの比較情報を非接触で読み取る。第１及び第２の読取部２８ａ，２８ｂは、識別情報保持部２１ａ及び比較情報保持部２１ｂに対応して、水平方向に並べて配置されている。
【００３１】  第１のＣＰＵ２９ａは、第１の読取部２８ａで読み取られた識別情報を処理する。第２のＣＰＵ２９ｂは、第２の読取部２８ｂで読み取られた比較情報を処理する。第１及び第２のＣＰＵ２９ａ，２９ｂは、相互に通信を行う。
【００３２】  第１のＣＰＵ２９ａからの出力は、第１のインターフェース３０ａを介して位置情報変換部２６に送信される。第２のＣＰＵ２９ｂからの出力は、第２のインターフェース３０ｂを介して位置情報変換部２６に送信される。
【００３３】  第２のＣＰＵ２９ｂは、第２の読取部２８ｂから得た比較情報を第１のＣＰＵ２９ａに渡す。第１のＣＰＵ２９ａは、第２のＣＰＵ２９ｂから渡された比較情報を反転させて、第１の読取部２８ａから得た識別情報と比較する。又は、第１のＣＰＵ２９ａは、第１の読取部２８ａから得た識別情報を反転させ、第２のＣＰＵ２９ｂから渡された比較情報と比較する。
【００３４】  第１のＣＰＵ２９ａは、比較した２つの情報が同じであれば、識別情報は正常であると判定し、識別情報を位置情報変換部２６に送信する。また、第１のＣＰＵ２９ａは、比較した２つの情報に違いがある場合（情報の読取が不可の場合も含む）、識別情報が異常であると判定し、異常検出情報を制御装置５に送信する。
【００３５】  第１のＣＰＵ２９ａは、第１の読取部２８ａから得た識別情報を第２のＣＰＵ２９ｂに渡す。第２のＣＰＵ２９ｂは、第２の読取部２８ｂから得た比較情報を反転させ、第１のＣＰＵ２９ａから渡された識別情報と比較する。又は、第２のＣＰＵ２９ｂは、第１のＣＰＵ２９ａから渡された識別情報を反転させて、第２の読取部２８ｂから得た比較情報と比較する。
【００３６】  第２のＣＰＵ２９ｂは、比較した２つの情報が同じであれば、識別情報は正常であると判定し、識別情報を位置情報変換部２６に送信する。また、第２のＣＰＵ２９ｂは、比較した２つの情報に違いがある場合（情報の読取が不可の場合も含む）、識別情報が異常であると判定し、異常検出情報を制御装置５に送信する。
【００３７】  なお、第１のＣＰＵ２９ａが第１の読取部２８ａから得た識別情報を反転させて第２のＣＰＵ２９ｂに渡したり、第２のＣＰＵ２９ｂが第２の読取部２８ｂから得た比較情報を反転させて第１のＣＰＵ２９ａに渡したりしてもよい。
【００３８】  また、第１の読取部２８ａからの情報を第１及び第２のＣＰＵ２９ａ，２９ｂのそれぞれに入力し、第２の読取部２８ｂからの情報を第１及び第２のＣＰＵ２９ａ，２９ｂにそれぞれ入力してもよい。
【００３９】  このようにして、第１及び第２のＣＰＵ２９ａ，２９ｂでは、第１の読取部２８ａで読み取られた識別情報の異常の有無が検査される。即ち、実施の形態１において、第１及び第２のＣＰＵ２９ａ，２９ｂは、識別情報検査を行う識別情報検査部として機能する。識別情報検査は、識別情報読取装置２２が識別子２１を検知した際に自動的かつ即座に実施される。
【００４０】  制御装置５は、第１及び第２のＣＰＵ２９ａ，２９ｂの少なくともいずれか一方により識別情報の異常が検出された場合、かご８を最寄り階へ移動させた後、かご８の走行を制限する。具体的には、制御装置５は、識別情報の異常が検出された場合、かご８の走行速度の制限（低速での運行）、及び異常が検出された識別子２１の位置へのかご８の移動（進入）の禁止の少なくともいずれか一方の制限を加える。又は、制御装置５は、識別情報の異常が検出された場合、かご８を最寄り階へ移動させた後、かご８の運行を停止させる。
【００４１】  制御装置５には、最後に識別情報検査を行った日時が識別子２１毎に記録されている。また、制御装置５は、識別子２１に対する前回の識別情報検査からの経過時間に基づいて、識別子２１の位置にかご８を移動させる検査走行の要否を判定し、判定結果に基づいて検査走行を実施する。制御装置５の機能は、例えばマイクロコンピュータを用いて実現することができる。
【００４２】  図４は図１のエレベータ装置の運行開始時における制御装置５の動作を示すフローチャートである。初期設定動作では、全ての識別子２１とかご位置情報との関連付けを実施する。まず、かご８を昇降路１の上部又は下部の終端部まで移動させ（ステップＳ１）、かご位置情報をリセットする（０にする）（ステップＳ２）。このとき、リミットスイッチ２３等のスイッチによって、かご８が終端部に達したことを確認することができる。
【００４３】  この後、反対側の終端部に向けてかご８の走行を開始する（ステップＳ３）。かご８の走行中は、反対側の終端部に到着したかどうかを監視する（ステップＳ４）とともに、識別子２１を検知したかどうかを監視する（ステップＳ５）。また、かご８の走行中は、調速機エンコーダ２４（又は巻上機エンコーダ）からの信号に基づいてかご８の走行距離を求める。
【００４４】  識別子２１が検知されると、識別子２１を検知した位置までのかご８の走行距離をその識別子２１の位置として登録する（ステップＳ６）。制御装置５には、例えば図５に示すように、識別子２１を検出した順番（番号）と、識別情報と、比較情報と、識別子２１の位置とを関連付けた基準位置情報（テーブル）が作成され記憶される。以後、識別子２１の位置を登録しながら、反対側の終端部まで走行する。
【００４５】  位置情報変換部２６は、調速機エンコーダ２４からの信号、識別情報読取装置２２からの情報、及び基準位置情報に基づいて、識別子２１が適正な位置にあるかどうかを判定することができる。
【００４６】  なお、上記の例では、初期設定動作で識別子２１の位置を実測してテーブルを作成したが、昇降路１内の予め定められた位置に識別子２１を設置し、それらの位置の昇降路終端部からの距離と識別情報とに基づいてテーブルを作成してもよい。
【００４７】  図６は図２のエレベータ装置の運行中の制御装置５の動作を示すフローチャートである。エレベータ装置の運行中は、前回の識別情報検査からの経過時間が設定時間（例えば、２４時間、１週間、又は１ヶ月等）を超えた識別子２１が存在するかどうかを監視する（ステップＳ１１）。
【００４８】  全ての識別子２１が設定時間内に検査済みであれば、制御装置５は通常運転を継続する（ステップＳ１２）。そして、通常運転においては、調速機エンコーダ２４からの信号と基準位置情報とに基づいて、かご８が識別子２１の位置に達したかどうかを確認する（ステップＳ１３）。識別子２１の位置に達していなければ、ステップＳ１１〜１３を繰り返す。
【００４９】  識別子２１が存在すべき位置にかご８が達すると、誤差範囲を含む適正な位置で識別子２１が検知されたかどうかを確認する（ステップＳ１４）。識別子２１が適正に検知された場合、識別情報読取装置２２による識別情報検査の結果情報に基づいて、識別情報が正常であったかどうかを確認する（ステップＳ１５）。
【００５０】  識別子２１が適正な位置で検知されない場合、識別情報の異常が検出された場合、次の識別子２１を検知する前に終端部が検知された場合、及び識別情報が予め登録された識別情報と一致しない場合など、異常が検出された場合には、かご８を最寄り階へ移動させ、かご８の走行に制限を加える（ステップＳ１６）。
【００５１】  識別子２１が適正な位置で検知され、識別情報も正常であった場合、該当識別子２１の検査時刻を更新する（ステップＳ１７）。また、識別子２１の検知位置が誤差範囲内であった場合は、検知位置を登録された位置情報に補正する。
【００５２】  一方、前回の識別情報検査からの経過時間が設定時間を超えた識別子２１が存在する場合、該当する識別子２１の位置にかご８を移動させる検査走行を実施する（ステップＳ１８）。検査走行後の動作は、ステップＳ１４〜１７と同様である。
【００５３】  このようなエレベータ装置では、ＣＰＵ２９ａ，２９ｂが、読取部２８ａ，２８ｂで読み取られた識別情報の異常の有無を検査し、かつ、制御装置５が、識別子２１に対する前回の識別情報検査からの経過時間に基づいて検査走行の要否を判定し、判定結果に基づいて検査走行を実施するので、識別情報の異常の有無を十分な頻度で確認することができ、かご位置検出の信頼性を向上させることができる。
【００５４】  また、識別情報と、識別情報に関連付けられた比較情報とが識別子２１に保存されており、ＣＰＵ２９ａ，２９ｂが、第１の読取部２８ａで読み取られた識別情報と第２の読取部２８ｂで読み取られた比較情報とを比較することにより識別情報の異常の有無を判定するので、識別情報の異常をより確実に検出することができ、これによってもかご位置検出の信頼性を向上させることができる。
【００５５】  さらに、比較情報を、対応する識別情報を反転した情報としたので、識別情報と比較情報との比較が容易であり、識別情報検査の処理速度を向上させることができる。
【００５６】  さらにまた、識別情報保持部２１ａと比較情報保持部２１ｂとを水平に並べて配置したので、識別情報と比較情報とを同時に読み取ることができ、識別情報検査の処理速度を向上させることができる。
【００５７】  また、識別情報の異常が検出された場合に、かご８を低速運転に切り替えたり、異常が検出された識別子２１の位置へのかご８の移動を禁止したりすることにより、安全性を確保しつつ、かご８の運転を継続することができ、エレベータ装置の稼働効率の低下を抑えることができる。
【００５８】  さらに、制御装置５は、識別子２１が検知された位置と基準位置情報とを比較することにより、識別子２１が適正な位置にあるかどうかを判定するので、かご位置検出の信頼性をさらに向上させることができる。
【００５９】  実施の形態２．  次に、この発明の実施の形態２のエレベータ装置について説明する。実施の形態１では、識別情報保持部２１ａと比較情報保持部２１ｂとを水平に並べたが、実施の形態２では、識別情報保持部２１ａと比較情報保持部２１ｂとがかご８の走行方向に並べられている。即ち、識別子２１が垂直に二重化されている。これに伴い、第１及び第２の読取部２８ａ，２８ｂも垂直方向に並べて配置されている。他の構成は、実施の形態１と同様である。
【００６０】  実施の形態２において、第１の読取部２８ａは、識別情報及び比較情報の両方を読み取る。また、第２の読取部２８ｂも、識別情報及び比較情報の両方を読み取る。
【００６１】  かご８が識別子２１を通過したときに、読取部２８ａ，２８ｂのいずれか一方で情報を読み取れない状態が継続した場合や、識別子２１の登録された位置付近において情報が読み取れない場合は、読取異常とし、その識別子２１の異常を検出する。また、両方の読取部２８ａ，２８ｂで情報を読み取れた場合の処理及びその他の処理は、実施の形態１と同様である。
【００６２】  このようなエレベータ装置によっても、識別情報の異常の有無を十分な頻度で確認することができ、また識別情報の異常をより確実に検出することができ、かご位置検出の信頼性を向上させることができる。また、かご８における識別情報読取装置２２の設置面積を削減することができる。
【００６３】  実施の形態３．  次に、図７はこの発明の実施の形態３によるエレベータ装置の要部を示すブロック図である。実施の形態３の識別情報読取装置３１は、読取部２８、ＣＰＵ（処理部）２９、及びインターフェース３０を有している。即ち、識別情報読取装置３１は、それを構成する部品が単一系であり、ＣＰＵ相互通信は実施しない。
【００６４】  読取部２８は、識別情報保持部２１ａの識別情報を非接触で読み取る。また、読取部２８は、かご８の移動により、図８に示すように、比較情報保持部２１ｂの比較情報も非接触で読み取る。識別情報及び比較情報の読取順は、かご８の走行方向によって異なる。
【００６５】  ＣＰＵ２９は、読取部２８で読み取られた識別情報を処理する。ＣＰＵ２９からの出力は、インターフェース３０を介して位置情報変換部２６に送信される。
【００６６】  また、ＣＰＵ２９は、識別情報及び比較情報のいずれか一方を反転させ、他方と比較する。さらに、ＣＰＵ２９は、比較した２つの情報が同じであれば、識別情報は正常であると判定し、識別情報を位置情報変換部２６に送信する。また、ＣＰＵ２９は、比較した２つの情報に違いがある場合（情報の読取が不可の場合も含む）、識別情報が異常であると判定し、異常検出情報を制御装置５に送信する。他の構成及び処理は、実施の形態２と同様である。
【００６７】  このようなエレベータ装置によっても、識別情報の異常の有無を十分な頻度で確認することができ、また識別情報の異常をより確実に検出することができ、かご位置検出の信頼性を向上させることができる。また、識別情報読取装置３１をコンパクトに構成することができる。
【００６８】  実施の形態４．  次に、この発明の実施の形態４のエレベータ装置について説明する。実施の形態１〜３では、識別情報を反転した比較情報を用いたが、実施の形態４では、識別情報と比較情報とが特定の変換式により関連付けられている。即ち、ＣＰＵ２９ａ，２９ｂ（又は２９）には、変換式が記憶されており、この変換式を用いて識別情報を比較情報に変換（比較情報を算出）、又は比較情報を識別情報に変換（識別情報を算出）することができる。変換式としては、例えばＣＲＣ（Cyclic Redundancy Check）等の誤り検出符号を用いることができる。
【００６９】  ＣＰＵ２９ａ，２９ｂ（又は２９）は、識別子２１から読み取った識別情報及び比較情報の一方を変換して他方と比較する。他の構成及び処理は、実施の形態１〜３と同様である。
【００７０】  このようなエレベータ装置によっても、識別情報の異常の有無を十分な頻度で確認することができ、また識別情報の異常をより確実に検出することができ、かご位置検出の信頼性を向上させることができる。
【００７１】  実施の形態５．  次に、この発明の実施の形態５によるエレベータ装置について説明する。実施の形態５の制御装置５は、実施の形態１と同様に、識別子２１に対する前回の識別情報検査からの経過時間に基づいて検査走行の要否を判定し、判定結果に基づいて検査走行を実施する。但し、具体的な判定方法が実施の形態１とは異なっている。
【００７２】  実施の形態５では、制御装置５は、検査走行から設定時間経過するまでの間に、識別子に対して識別情報検査を行ったら検査済み登録を行う。そして、設定時間経過したときに未検査の識別子が存在した場合に検査走行を行う。他の構成は、実施の形態１〜４のいずれかと同様である。
【００７３】  図９は実施の形態５のエレベータ装置の運行中の制御装置５の動作を示すフローチャートである。エレベータ装置の運行中は、前回の検査走行から設定時間（例えば、２４時間、１週間、又は１ヶ月等）が経過したかどうかを監視する（ステップＳ２１）。設定時間経過していなければ、制御装置５は通常運転を継続する（ステップＳ２２）。
【００７４】  そして、通常運転においては、かご８が識別子２１の位置に達したかどうかを確認する（ステップＳ２３）。識別子２１の位置に達していなければ、ステップＳ２１〜２３を繰り返す。
【００７５】  識別子２１が存在すべき位置にかご８が達すると、誤差範囲を含む適正な位置で識別子２１が検知されたかどうかを確認する（ステップＳ２４）。識別子２１が適正に検知された場合、識別情報が正常であったかどうかを確認する（ステップＳ２５）。
【００７６】  識別子２１が適正な位置で検知されない場合、識別情報の異常が検出された場合、次の識別子２１を検知する前に終端部が検知された場合、及び識別情報が予め登録された識別情報と一致しない場合など、異常が検出された場合には、かご８を最寄り階へ移動させ、かご８の走行に制限を加える（ステップＳ２６）。
【００７７】  識別子２１が適正な位置で検知され、識別情報も正常であった場合、その識別子が検査済み登録されているかどうかを確認する（ステップＳ２７）。検査済み登録されていれば、ステップＳ２１に戻る。検査済み登録されていなければ、検査済み登録をして（ステップＳ２８）、ステップＳ２１に戻る。
【００７８】  また、前回の検査走行から設定時間経過すると、前回の検査走行から識別情報検査を実施していない識別子２１が存在するかどうかを確認する（ステップＳ２９）。即ち、検査済み登録されていない識別子２１が存在するかどうかを確認する。
【００７９】  未検査の識別子２１が存在する場合、該当する識別子２１の１つに対して検査走行を実施する（ステップＳ３０）。そして、誤差範囲を含む適正な位置で識別子２１が検知されたかどうかを確認し（ステップＳ３１）、識別情報が正常であったかどうかを確認する（ステップＳ３２）。
【００８０】  ここで異常が検出された場合も、かご８を最寄り階へ移動させ、かご８の走行に制限を加える（ステップＳ２６）。識別子２１が適正な位置で検知され、識別情報も正常であった場合、検査済み登録をして（ステップＳ３３）、ステップＳ２９に戻る。そして、未検査の識別子２１が存在しなくなるまで、順次検査走行を実施する。
【００８１】  前回の検査走行から設定時間経過したときに全ての識別子２１が検査済み登録されていた場合、又は検査走行により未検査の識別子２１が存在しなくなった場合には、全ての識別子２１についての検査済み登録を消去する（ステップＳ３４）。そして、検査走行時刻を現在時刻に更新する（ステップＳ３５）。
【００８２】  このようなエレベータ装置によっても、識別情報の異常の有無を十分な頻度で確認することができ、また識別情報の異常をより確実に検出することができ、かご位置検出の信頼性を向上させることができる。
【００８３】  実施の形態６．  次に、この発明の実施の形態６のエレベータ装置について説明する。実施の形態６の制御装置５は、未検査の識別子２１が存在するかどうかによらず、前回の検査走行からの経過時間に基づいて検査走行の要否を判定し、判定結果に基づいて検査走行を実施する。実施の形態６の検査走行では、かご８を昇降路１の一方の終端部から他方の終端部まで走行させながら、全ての識別子２１の識別情報検査を行う。他の構成は、実施の形態１〜４のいずれかと同様である。
【００８４】  図１０は実施の形態６のエレベータ装置の運行中の制御装置５の動作を示すフローチャートである。エレベータ装置の運行中は、前回の検査走行（運行開始直後は運行開始時）から設定時間が経過したかどうかを監視する（ステップＳ４１）。設定時間経過していなければ、制御装置５は通常運転を継続する（ステップＳ４２）。
【００８５】  そして、通常運転においては、かご８が識別子２１の位置に達したかどうかを確認する（ステップＳ４３）。識別子２１の位置に達していなければ、ステップＳ４１〜４３を繰り返す。
【００８６】  識別子２１が存在すべき位置にかご８が達すると、誤差範囲を含む適正な位置で識別子２１が検知されたかどうかを確認する（ステップＳ４４）。識別子２１が適正に検知された場合、識別情報が正常であったかどうかを確認する（ステップＳ４５）。
【００８７】  識別子２１が適正な位置で検知されない場合、識別情報の異常が検出された場合、次の識別子２１を検知する前に終端部が検知された場合、及び識別情報が予め登録された識別情報と一致しない場合など、異常が検出された場合には、かご８を最寄り階へ移動させ、かご８の走行に制限を加える（ステップＳ４６）。
【００８８】  識別子２１が適正な位置で検知され、識別情報も正常であった場合、ステップＳ４１に戻る。
【００８９】  また、前回の検査走行から設定時間経過すると、制御装置５は、検査走行を開始する（ステップＳ４７）。検査走行では、まず昇降路１の上部又は下部の終端部までかご８を移動させ、反転走行させる（ステップＳ４８）。
【００９０】  そして、誤差範囲を含む適正な位置で識別子２１が検知されたかどうか（ステップＳ４９）、識別情報が正常であったかどうか（ステップＳ５０）、かご８が反対側の終端部に達したかどうか（ステップＳ５１）を繰り返し確認しながら、かご８を反対側の終端部まで走行させる。
【００９１】  かご８が反対側の終端部に達すると、検査走行時刻を更新して（ステップＳ５２）、検査走行を終了する。この後、ステップＳ４１に戻る。
【００９２】  このようなエレベータ装置によっても、識別情報の異常の有無を適当な頻度で確認することができ、また識別情報の異常をより確実に検出することができ、かご位置検出の信頼性を向上させることができる。
【００９３】  なお、識別子２１に対する前回の識別情報検査からの経過時間に基づいて検査走行の要否を判定し、判定結果に基づいて検査走行を実施する制御方法は、識別子２１の検査方法によらず、識別子２１が設置されたあらゆるエレベータ装置に適用することができる。
【００９４】  また、識別情報と比較情報とを比較することにより、識別情報の異常の有無を判定する検査方法は、検査走行の制御方法によらず、識別子２１が設置されたあらゆるエレベータ装置に適用することができる。
【００９５】  さらに、実施の形態１〜６では、識別子２１の識別情報及び比較情報を読み取るのに無線通信を用いたが、このとき、識別情報と比較情報とで異なる周波数の無線を使用して読み出してもよい。
【００９６】  さらにまた、実施の形態１〜６では、識別子２１から識別情報及び比較情報を読み取るのに無線通信を用いたが、これに限定されるものではなく、例えば、バーコード等を利用した光学式の読取方法、又は磁気コード等を利用した磁気式の読取方法などでもよい。  また、昇降路１に設置する識別子２１の個数は特に限定されるものではない。  さらに、昇降路１内の識別子２１の設置場所も特に限定されず、例えばかごガイドレール１０又は乗場ドア装置等に設置することができる。
【００９７】  さらにまた、実施の形態１〜６では、識別情報検査部であるＣＰＵ２９ａ，２９ｂ，２９をかご８に搭載したが、かご８側ではなく、例えば制御装置５側に設けてもよい。  また、制御装置５の機能は、複数の装置に分割してもよい。  さらに、検出されたかご位置情報をどのような制御又は監視動作に利用するかは特に限定されない。
【００９８】  さらにまた、エレベータ装置全体のレイアウトは、図１に限定されるものではない。例えば、２：１ローピング方式のエレベータ装置、巻上機が昇降路の下部に設置されているエレベータ装置等にもこの発明は適用できる。  また、この発明は、機械室レスエレベータ、リニアモータエレベータ、油圧エレベータ、ダブルデッキエレベータ、共通の昇降路内に複数のかごが配置されているワンシャフトマルチカー方式のエレベータなど、あらゆるタイプのエレベータ装置に適用できる。
【図１】
0005897212.tif 000002
【図２】
0005897212.tif 000003
【図３】
0005897212.tif 000004
【図４】
0005897212.tif 000005
【図５】
0005897212.tif 000006
【図６】
0005897212.tif 000007
【図７】
0005897212.tif 000008
【図８】
0005897212.tif 000009
【図９】
0005897212.tif 000010
【図１０】
0005897212.tif 000011